(57)【要約】      （修正有）【課題】睫毛のカールと睫毛へのマスカラ液の塗布を同時に行うことにより、化粧操作を簡便に行うとともに、睫毛のカールした状態を長時間維持することができるマスカラ液の塗布用具を提供する。【解決手段】容器部４に収容したマスカラ液をマスカラ液転写用具３に供給するための供給部５を備えたマスカラ液供給用具２と、瞼にあてがったとき睫毛の生え際に沿うように延びる第１押圧体６と第２押圧体７を備え、前記マスカラ液供給用具から供給されたマスカラ液を第１押圧体６の押圧面６ａ及び／又は第２押圧体７の押圧面７ａで担持しながら睫毛を第１押圧体６と第２押圧体７との２つの押圧面６ａ，７ａで上下方向から挟み込みマスカラ液を睫毛に転写するマスカラ液転写用具３と、からなるマスカラ液塗布用具セット１。【選択図】図１
2018148999.tif 000002
【特許請求の範囲】
【請求項１】
マスカラ液を収容する容器部と該容器部内のマスカラ液をマスカラ転写用具に供給するための供給部を備えたマスカラ液供給用具と、瞼にあてがったとき睫毛の生え際に沿うように延びる第１押圧体と第２押圧体を備え、前記マスカラ液供給用具から供給されたマスカラ液を前記第１押圧体の押圧面及び／又は前記第２押圧体の押圧面で担持しながら睫毛を前記第１押圧体と前記第２押圧体との２つの押圧面で上下方向から挟み込みマスカラ液を睫毛に転写するマスカラ液転写用具と、からなることを特徴とするマスカラ液塗布用具セット。
【請求項２】
前記マスカラ液転写用具の第１押圧体は、睫毛の生え際に沿って延びる湾曲形状であるとともに、押圧面が前記湾曲形状内側から外側に向けて上方に湾曲した凸状湾曲面であることを特徴とする請求項１記載のマスカラ液塗布用具セット。
【請求項３】
前記マスカラ液転写用具の第２押圧体は、睫毛の生え際に沿って延びる湾曲形状とするとともに、押圧面が前記湾曲形状内側から外側に向けて上方に湾曲した凹状湾曲面であることを特徴とする請求項１又は２記載のマスカラ液塗布用具セット。
【請求項４】
前記マスカラ液転写用具の第２押圧体は、睫毛の生え際に沿って延びる湾曲形状とするとともに、押圧面が前記湾曲形状内側から外側に向けて下方に向けて湾曲した凸状湾曲面と上方に湾曲した凹状湾曲面からなることを特徴とする請求項１又は２記載のマスカラ液塗布用具セット。
【請求項５】
前記第２押圧体の押圧面には、前記湾曲形状内側から外側に向けて睫毛に沿うように延びる略放射状の線状溝部を設けることを特徴とする請求項３又は４記載のマスカラ液塗布用具セット。
【請求項６】
マスカラ液供給用具の容器部に収容したマスカラ液を供給部からマスカラ液転写用具に供給し、マスカラ液転写用具の第１押圧体の押圧面及び／又は第２押圧体の押圧面でマスカラ液を担持しながら睫毛を第１押圧体と第２押圧体との２つの押圧面で上下方向から挟み込みマスカラ液を睫毛に転写する、請求項１に記載のマスカラ液塗布用具セットを利用したマスカラ液塗布方法。
【発明の詳細な説明】
【技術分野】
【０００１】
本発明は、マスカラ液を睫毛に塗布するためのマスカラ液塗布用具セットに関する。
【背景技術】
【０００２】
近年、女性のメーキャップにおいては、アイメイクが重要なポイントの一つとなっており、睫毛を美しくカールし、ボリューム感を持たせることにより、睫毛を長く見せることに関心が寄せられている。
【０００３】
このようなアイメイクにおいては、通常、アイラッシュカーラー（「ビューラー」とも言われる）を用い、瞼の前面に沿わせた湾曲した板状の固定部材に対し下から可動押圧部材を押し上げて押圧操作することで、固定部材の下縁と可動押圧部材の上面との間に挟み込んだ睫毛を上方向に折り曲げてカールさせる。そして、カールした睫毛の表面に睫毛を整えながらマスカラ液を塗布することで睫毛をマスカラ液で被覆し、睫毛のカールした状態を維持する。
【０００４】
しかしながら、アイラッシュカーラーでカールした睫毛は押圧により型付けしただけであるため、元の状態に戻り易く、マスカラ液を塗布している間に睫毛のカールは徐々に失われる傾向にある。特に、睫毛にマスカラ液を塗布する際に、上方向から睫毛の上面にマスカラ液を塗布しようとすると、睫毛は下方に押し下げられるように力を受けることから、睫毛のカールは損なわれ易くなる。また、カールするように睫毛を持ち上げながらマスカラ液を塗布することは難しく、マスカラ液を均一に塗布して睫毛を美麗に仕上げることは難しい。
【０００５】
このように、従来の化粧方法では、睫毛を十分にカールさせた状態を維持することは難しく、満足できる化粧効果を得ることは困難であった。また、従来のように、睫毛をカールした後、睫毛を整えながらマスカラ液を塗布する行為は長時間を要するもので煩雑な行為でもあった。
【０００６】
したがって、睫毛のカールと睫毛へのマスカラ液の塗布を同時に行うことにより、化粧行為を簡便にするととともに、睫毛のカールした状態を長時間維持することができるマスカラ液の塗布用具の開発が求められる。
【０００７】
【特許文献１】特開２００９−１４８４７６号公報
【発明の開示】
【発明が解決しようとする課題】
【０００８】
本発明は、睫毛のカールと睫毛へのマスカラ液の塗布を同時に行うことにより、化粧操作を簡便に行うとともに、睫毛のカールした状態を長時間維持することができるマスカラ液の塗布用具を提供することを課題とする。
【課題を解決するための手段】
【０００９】
前記課題を解決するために本発明者らが検討を行った結果、マスカラ液供給用具の供給部から供給されるマスカラ液をマスカラ液転写用具の第１押圧体の押圧面及び／又は第２押圧体の押圧面で担持し、かかる睫毛を第１押圧体と第２押圧体との２つの押圧面で上下方向から挟み込むことで、睫毛のカールと睫毛へのマスカラ液の塗布を同時に行うことができ、さらに睫毛のカールした状態を長時間維持することができることを見出し、本発明を完成するに至った。
【００１０】
すなわち本発明は、マスカラ液を収容する容器部と該容器部内のマスカラ液をマスカラ液転写用具に供給するための供給部を備えたマスカラ液供給用具と、瞼にあてがったとき睫毛の生え際に沿うように延びる第１押圧体と第２押圧体を備え、前記マスカラ液供給用具から供給されたマスカラ液を前記第１押圧体の押圧面及び／又は前記第２押圧体の押圧面で担持しながら睫毛を前記第１押圧体と前記第２押圧体との２つの押圧面で上下方向から挟み込みマスカラ液を睫毛に転写するマスカラ液転写用具と、からなることを特徴とするマスカラ液塗布用具セットである。
【００１１】
さらに本発明は、前記マスカラ液転写用具の第１押圧体が、睫毛の生え際に沿って延びる湾曲形状であるとともに、押圧面が前記湾曲形状内側から外側に向けて上方に湾曲した凸状湾曲面であることを特徴とするマスカラ液塗布用具セットである。
【００１２】
さらに本発明は、前記マスカラ液転写用具の第２押圧体が、睫毛の生え際に沿って延びる湾曲形状であるとともに、押圧面が前記湾曲形状内側から外側に向けて上方に湾曲した凹状湾曲面であることを特徴とするマスカラ液塗布用具セットである。
【００１３】
また本発明は、前記マスカラ液転写用具の第２押圧体が、睫毛の生え際に沿って延びる湾曲形状であるとともに、押圧面が前記湾曲形状内側から外側に向けて下方に向けて湾曲した凸状湾曲面と上方に湾曲した凹状湾曲面からなることを特徴とするマスカラ液塗布用具セットである。
【００１４】
さらに本発明は、前記第２押圧体の押圧面には、前記湾曲形状内側から外側に向けて睫毛に沿うように延びる略放射状の線状溝部を設けることを特徴とするマスカラ液塗布用具セットである。
【００１５】
また本発明は、マスカラ液供給用具の容器部に収容したマスカラ液を供給部からマスカラ液転写用具に供給し、マスカラ液転写用具の第１押圧体の押圧面及び／又は第２押圧体の押圧面でマスカラ液を担持しながら睫毛を第１押圧体と第２押圧体との２つの押圧面で上下方向から挟み込みマスカラ液を睫毛に転写する、前記マスカラ液塗布用具セットを利用したマスカラ液塗布方法である。
【発明の効果】
【００１６】
本発明のマスカラ液塗布用具セットによれば、睫毛のカールと睫毛へのマスカラ液の塗布を同時に行うことにより、化粧操作を簡便に行うととともに、睫毛のカールした状態を長時間維持することが可能となる。
【図面の簡単な説明】
【００１７】
【図１】マスカラ液塗布用具セットの使用状態を示す図
【図２】マスカラ液転写用具の外観図(第１の実施態様)((ａ)正面図、(ｂ)側面図)
【図３】第１押圧体と第２押圧体の外観図((ａ)組立図、(ｂ)分解図）
【図４】第１押圧体と第２押圧体の側面拡大図
【図５】第２押圧体の外観図((ａ)正面図、(ｂ)平面図)
【図６】マスカラ液転写用具の外観図(第２の実施態様)
【図７】マスカラ液供給用具(第２の実施態様)の構造図((ａ)正面図、(ｂ)側面図、(ｃ)平面図)
【図８】マスカラ液供給用具(第２の実施態様)の供給部を取り出した状態を示す図
【図９】マスカラ液供給用具(第３の実施態様)の構造図((ａ)正面図、(ｂ)側面図、(ｃ)平面図)
【図１０】マスカラ液供給用具(第３の実施態様)の供給部を取り出した状態を示す図
【図１１】マスカラ液供給用具(第４の実施態様)の外観図
【図１２】マスカラ液供給用具(第５の実施態様)の外観図
【図１３】マスカラ液供給用具(第６の実施態様)の外観図
【図１４】マスカラ液供給用具(第７の実施態様)の外観図
【図１５】マスカラ液供給用具(第８の実施態様)の外観図
【図１６】マスカラ液供給用具(第９の実施態様)の外観図((ａ)全体図、(ｂ)供給部拡大図)
【図１７】マスカラ液供給用具(第１０の実施態様)の外観図
【図１８】マスカラ液供給用具(第１１の実施態様)の外観図
【図１９】マスカラ液供給用具(第１２の実施態様)の外観図
【図２０】マスカラ液供給用具(第１３の実施態様)の外観図
【発明を実施するための形態】
【００１８】
本発明のマスカラ液塗布用具セットを以下に詳細に説明する。
【００１９】
図１に示すように、マスカラ液塗布用具セット(１)は、マスカラ液収容する容器部(４)と、かかる容器部内のマスカラ液をマスカラ液転写用具に供給するための供給部(５)を備えたマスカラ液供給用具(２)と、瞼にあてがったとき睫毛の生え際に沿うように延びる第１押圧体(６)と第２押圧体(７)を備え、前記マスカラ液供給用具(２)から供給されたマスカラ液を第１押圧体(６)の押圧面及び／又は第２押圧体(７)の押圧面で担持しながら睫毛を第１押圧体と第２押圧体との２つの押圧面(6a,7a)で上下方向から挟み込みマスカラ液を睫毛に転写するマスカラ液転写用具(３)と、からなる。
【００２０】
マスカラ液供給用具(２)は、容器部(４)とかかる容器部の開口部に設置した供給部(５)を備えている(第１の実施態様)。供給部(５)は、スポンジ、金属あるいは焼結金属等の多孔性素材からなり、容器部(４)を指で押すと、容器部(４)内部に収容されているマスカラ液は供給部(５)に移送される(図１(ａ))。供給部(５)は、マスカラ液を含浸した状態となるため、この部分をマスカラ液転写用具(３)の第１押圧体(６)と第２押圧体(７)で挟み込むことにより、マスカラ液を第１押圧体(６)の押圧面と第２押圧体(７)の押圧面に担持させることができる(図１(ｂ))。
【００２１】
供給部(５)は、マスカラ液転写用具(３)の第１押圧体(６)と第２押圧体(７)で挟み込むことが容易な扁平形状とすることが好ましく、さらに容器部(４)に収容されるマスカラ液を含浸し得る素材で形成することが好ましい。
【００２２】
マスカラ液を第１押圧体(６)と第２押圧体(７)の双方の押圧面に担持させた場合には、睫毛を第１押圧体と第２押圧体で上下方向から挟み込むと、上下方向から同時に睫毛にマスカラ液を塗布することができるが、第１押圧体(６)又は第２押圧体(７)のいずれか一方の押圧面に担持させた場合にも、睫毛を第１押圧体と第２押圧体で上下方向から挟み込めば、マスカラ液が担持されていない第２押圧体又は第１押圧体の押圧面にもマスカラ液が回り込むため、睫毛にマスカラ液をまんべんなく塗布することができる。したがって、マスカラ液は、第１押圧体(６)と第２押圧体(７)の双方の押圧面(6a,7a)に担持させることを必ずしも必要とせず、第１押圧体(６)または第２押圧体(７)のいずれか一方の押圧面に担持させてもよい。
【００２３】
マスカラ液は第１押圧体と第２押圧体の双方のみならず、第１押圧体または第２押圧体のいずれか一方の押圧面に担持させれば足りるため、供給部(５)の表裏面をともに多孔性素材で構成するばかりでなく、表面あるいは裏面のいずれかを多孔性素材で構成すればよい。例えば、多孔性素材と合成樹脂素材を層状に重ね合わせた構造とすれば、多孔性素材だけでは得ることができない剛性や強度を合成樹脂素材により補うことができる。また、合成樹脂素材からなる板の表裏面に多孔性素材を配置した構造とすれば、十分な剛性や強度を得るとともに、マスカラ液を第１押圧体(６)と第２押圧体(７)の双方に同時にマスカラ液を担持させることも可能となる。
【００２４】
供給部(５)の形状は、マスカラ液転写用具(３)の第１押圧体(６)と第２押圧体(７)で挟み込むことが容易な形状であれば特に限定されるべきものではないが、図１には、供給部の先端縁を凸状に湾曲する円弧形状とした実施態様を示す(第１の実施態様)。この実施態様は、マスカラ液転写用具(３)の前方(瞼に対向する側)からマスカラ液供給用具(２)を第１押圧体(６)と第２押圧体との間に差し入れるようにして使用する。
【００２５】
第１押圧体(６)と第２押圧体(７)を形成する素材は、特に限定されるものではないが、ゴム等の弾性素材を用いれば、睫毛を挟み込んだ際に睫毛に密着してマスカラ液をまんべんなく睫毛に塗布できるととともに、操作を誤って睫毛を傷つける危険性を無くすことができるため好ましい。このような弾性素材としては、マスカラ液との相互作用が少ないシリコーンゴムなどの合成ゴム等が好ましい。
【００２６】
マスカラ液を担持した後、第１押圧体(６)と第２押圧体(７)の双方の押圧面で睫毛を上下方向から挟み込むことにより、睫毛のカールと睫毛へのマスカラ液の塗布を同時に行うことができる(図１(ｃ))。これにより、簡単な化粧操作で睫毛を効果的にカールさせることができ、睫毛をカールした状態に長時間維持することが可能となる。
【００２７】
マスカラ液転写用具(３)は、図２に示すように、上方に配置され上瞼に当接させて位置決めする第１押圧体(６)と、この第１押圧体(６)の下方に位置して該第１押圧体(６)に対して上下方向に遠近移動可能であり、第１押圧体(６)と協同して睫毛を挟み込んで押圧する第２押圧体(７)を備える。支持杆(８)は、上端に第１押圧体(６)を固定支持しながら、第２押圧体(７)を上下方向移動自在に案内支持している。
【００２８】
操作手段(９)は、第１レバー(10)と、第２レバー(11)と、該第２レバー(11)と第２押圧体(７)とを連動連結する連動部材(12)とを有し、第１レバー(10)と第２レバー(11)は、その長手方向中途部を互いにピン(13)を介して軸着しておりピン(13)を中心として回動自在であり、それぞれの下端は指を挿通できる指掛部(14,15)と連結している。
【００２９】
第１レバー(10)の上部は二股に分岐し、互いに平行な支持杆(8a,8b)を形成している。第１レバー(10)は、スチール等の金属製線材を屈曲することで支持杆(8a,8b)を形成するとともに下端を指掛部(14)に連結している。第２レバー(11)は、第１レバー(10)と同様に金属製線材を屈曲して形成され下端を指掛部(15)に連結している。
【００３０】
連動部材(12)は、その下端が第２レバー(11)の上端部に揺動自在に連結されており、上端が第２押圧体(７)を下方向から固定する台座部材(16)の下面に固着されている。台座部材(16)は、スチール等の金属製材料で上向き凹状の溝が形成されており、かかる溝に第２押圧体(７)の下面に設けたリブ(7c)を嵌合して固定している(図３)。
【００３１】
第１押圧体(６)は、縦向き状態に配置され両端を左右の支持杵(8a,8b)上部に連結した金属製の支持板(17)に固定されている(図３)。第１押圧体(６)の支持板(17)への取り付けは、特に限定されるものではないが、例えば、カシメ止めや接着等を利用することができる。
【００３２】
第１押圧体(６)と第２押圧体(７)は、瞼の形状に沿うよう中央部が後方(瞼に対向する側の反対側)へ湾曲した形状であり、第１押圧体と第２押圧体との２つの押圧面が当接し上下方向から睫毛を挟み込んだ際には睫毛の根元から先端にかけて上方向にカールするよう、第１押圧体と第２押圧体の押圧面は、後方(瞼に対向する側の反対側)に進むにつれて徐々に上方に向かうべく、それぞれ上方向に湾曲した断面形状とすることが好ましい。すなわち、マスカラ液転写用具の第１押圧体は、睫毛の生え際に沿って延びる湾曲形状とするとともに、押圧面は湾曲形状内側から外側に向けて上方に湾曲するような凸状湾曲面とし、マスカラ液転写用具の第２押圧体も、睫毛の生え際に沿って延びる湾曲形状とするとともに、押圧面は湾曲形状内側から外側に向けて上方に湾曲するような、凹状湾曲面とすることが好ましい。ただし、第１押圧体と第２押圧体の双方を湾曲面とすることは必ずしも必要ではなく、例えば、第１押圧体と第２押圧体のいずれかの一方の押圧面を凸状あるいは凹状湾曲面とした場合でも、他方の押圧面が一方の押圧面に押し付けられることにより凹状あるいは凸状湾曲面に変形するものであれば、第１押圧体と第２押圧体との当接した押圧面は、後方(瞼に対向する側の反対側)に進むにつれて徐々に上方に向かうこととなるため、睫毛の根元から先端にかけて上方向にカールするができる。
【００３３】
図４に示すように、第２押圧体(７)の押圧面(7a)は、湾曲形状内側から外側に向けて、下方に向けて湾曲した凸状湾曲面(25)と上方に湾曲した凹状湾曲面(26)により形成すれば、睫毛の根元に圧力を加え易くなるため、睫毛をより効果的にカールすることができる。また、第１押圧体(６)の押圧面(6a)に睫毛の生え際に沿って延びる湾曲形状のプレート(27)を配置すれば、睫毛の根元により強く力を加えることができるため好ましい。
【００３４】
第２押圧体(７)の押圧面(7a)には、前記湾曲形状内側から外側に向けて睫毛に沿うように延びる略放射状の線状溝部(7b)を設けることが好ましい(図５)。このような線状溝部(7b)を設けることにより、睫毛は線状溝部(7b)に沿って放射状に配列するよう整えられることとなる。また、線状溝部(7b)により押圧面(7a)の表面積が増えるため、マスカラ液が担持し易くなるとともに、線上溝部の溝表面に沿ってマスカラ液が回り込み、線状溝部内にある睫毛の表面全体をマスカラ液で均一に被覆することが可能となる。
【００３５】
台座部材(16)の両端には挿通孔(16a,16b)が形成され、該挿通孔(16a,16b)に支持杆(8a,8b)を挿通することにより、第２押圧体(７)が支持杆に沿って上下方向に摺動自在に支持される(図２)。
【００３６】
マスカラ液転写用具を使用する際は、第１レバー(10)と第２レバー(11)の指掛部(14,15)に指を挿通してマスカラ液転写用具を持ち、第１押圧体(６)の前面を上瞼に当接して位置決めし、ピン(13)を支点として第２レバー(11)を揺動する。このとき、第２押圧体(７)が連結部材(12)を介して支持杆(８)に沿って上昇し、第１押圧体(６)の押圧面(6a)と第２押圧体(７)の押圧面(7a)との間に睫毛が挟み込まれて押圧されるとともに、睫毛にマスカラ液が塗布され、睫毛は上向きにカールされる(図２)。
【００３７】
また、マスカラ液転写用具(３)は、図６に示すような、操作手段を内蔵した形態にすることも可能である。内蔵されたスプリングにより上方に付勢された操作レバー(28)を下方に押し下げることで第２押圧体(７)が上昇し、第１押圧体の押圧面を第２押圧体(６)の押圧面に圧着させることができる。
【００３８】
図７に、マスカラ液供給用具の他の実施態様(第２の実施態様)を示す。蓋体(18)に取り付けた供給部(５)は合成樹脂等からなる板状体であり、容器部(４)に収容されたマスカラ液に浸漬している。使用する際には、蓋体とともに供給部を容器部から引き抜き、供給部に付着したマスカラ液を容器部から取り出す(図８)。この実施態様は、比較的粘度が高いマスカラ液をマスカラ液転写用具に供給する場合に適している。容器部の口部にシゴキ部材を設け、余分のマスカラ液を供給部(５)から掻き落とせば、マスカラ液転写用具に適量のマスカラ液を安定して供給することができる。
【００３９】
供給部(５)の形状は、先端縁を凹状に湾曲する円弧形状とした板状体であり、この実施態様では、マスカラ液転写用具(３)の後方(瞼に対向する側の反対側)からマスカラ液供給用具(２)の供給部(５)を第１押圧体(６)と第２押圧体との間に差し入れ、第１押圧体と第２押圧体との２つの押圧体で挟んで使用する。尚、板状体は、第１押圧体と第２押圧体との間に斜めに差し入れることができるよう、若干湾曲していてもよい。また、供給部(５)の表面は、フロッキー植毛によりマスカラ液を保持し易くしてもよい。
【００４０】
図９に、マスカラ液供給用具の他の実施態様(第３の実施態様)を示す。蓋体(18)に取り付けた供給部(５)は、容器部(４)に収容されたマスカラ液に浸漬しており、使用する際には、蓋体とともに供給部を容器部から引き抜き、供給部に付着したマスカラ液を取り出す(図１０)。この実施態様は、比較的粘度が高いマスカラ液をマスカラ液転写用具に供給する場合に適しており、容器部の口部にシゴキ部材を設ければ、余分のマスカラ液を供給部(５)から掻き落とすことができ、マスカラ転写用具に適量のマスカラ液を供給することができる。
【００４１】
供給部(５)は平面円弧形状の細長い板状体であり、この実施態様では、マスカラ液転写用具(３)の後方(瞼に対向する側の反対側)からマスカラ液供給用具(２)を第１押圧体(６)と第２押圧体との間に差し入れ、板状体の表裏面を第１押圧体の押圧面と第２押圧体の押圧面で挟んで使用する。供給部(５)の表面は、フロッキー植毛によりマスカラ液を保持し易くしてもよい。
【００４２】
図１１に、マスカラ液供給用具の他の実施態様(第４の実施態様)を示す。供給部(19)は、下端に開口端部(19a)を備え、内部に管路を形成した逆円錐形状の管体からなり、上端の基端部は内部に密閉空間を備えた蓋体(18)に連結し、開口端部(19a)から密閉空間まで管路を介して連通している。蓋体(18)を押圧変形すると、密閉空間の容積が減少し、管路に収容されているマスカラ液を吐出し、続いて押圧を解除したときの形状復帰により開口端部(19a)より所定量のマスカラ液を容器部(４)から供給部(19)内に採取する。
【００４３】
この実施態様は、比較的粘度が低いマスカラ液をマスカラ液転写用具に供給する場合に適しており、蓋体(18)を押圧変形することにより、マスカラ液を吐出してマスカラ液を第１押圧体(６)の押圧面及び／又は第２押圧体(７)の押圧面に担持させる。
【００４４】
図１２は、マスカラ液供給用具の他の実施態様(第５の実施態様)を示す。この実施態様では、容器部(４)に収容したマスカラ液をマスカラ液転写用具に供給するための供給部(19)としてポンプ機構を備えたディスペンサーを採用する。この実施態様は、比較的粘度が低いマスカラ液をマスカラ液転写用具に供給する場合に適しており、ディスペンサーからマスカラ液を噴出することにより第１押圧体(６)の押圧面及び／又は第２押圧体(７)の押圧面にマスカラ液を担持させる。
【００４５】
図１３は、マスカラ液供給用具の他の実施態様(第６の実施態様)を示す。この実施態様は、容器部(４)の先端に供給部(19)となるノズルを設けたシリンジ形状としたものであり、容器部の筒内を摺動可能なピストン(24)を押圧移動させることにより、容器部内に充填したマスカラ液を供給部(19)から吐出するものである。
【００４６】
図１４は、マスカラ液供給用具の他の実施態様(第７の実施態様)を示す。この実施態様は、平板形状の供給部(19)の扁平表面に、供給部の内部に設けた管路を介して容器部(４)内に連通する複数の吐出孔を水平方向に並べて設置しており、容器部(４)の側面を押圧変形することにより、容器部内のマスカラ液が吐出孔から吐出される。尚、供給部(19)の扁平表面は、フロッキー植毛によりマスカラ液を保持し易くしてもよい。
【００４７】
図１５は、マスカラ液供給用具の他の実施態様(第８の実施態様)を示す。この実施態様では、供給部(19)は、管体の上端開口に表面をフロッキー植毛したスポンジ等の多孔性素材を取り付けたものであり、管体内部の管路は容器部(４)内に連通していることから、容器部(４)の側面を押圧変形すると、容器内のマスカラ液は圧力の上昇にともない多孔性素材に移行する。多孔性素材から滲み出すマスカラ液はマスカラ液転写用具の第１押圧体(６)の押圧面及び／又は第２押圧体(７)の押圧面に塗布される。
【００４８】
図１６は、マスカラ液供給用具の他の実施態様(第９の実施態様)を示す。供給部(19)は、管体の側面にマスカラ液を吐出するための複数の吐出孔を設け、かかる吐出孔周辺にブラシ毛を植毛している。管体内部の管路は容器部(４)内に連通しており、容器部(４)の側面を押圧変形すると、容器内のマスカラ液は圧力の上昇にともない吐出孔から吐出され、ブラシ毛の毛間に保持される。
【００４９】
図１７は、マスカラ液供給用具の他の実施態様(第１０の実施態様)を示す。容器部(４)に設けた首部の開口に中栓を取り付け、かかる中栓をマスカラ液を供給するための供給部(20)として利用するものである。使用する際は、容器部(４)の側面を押圧し、開口端部(20a)から吐出されたマスカラ液をマスカラ液転写用具の押圧面に塗布する。
【００５０】
図１８は、マスカラ液供給用具の他の実施態様(第１１の実施態様)を示す。この実施態様では、供給部(20)は、先端に開口端部(20a)を備え、内部に管路が形成された略円錐形状の管体からなり、容器部(４)の口部を覆う蓋体(18)の天面に設置している。また、蓋体(18)の天面には板状のへら部材(21)が立設され、へら部材(21)の上端縁は開口端部(20a)に隣接して配置される。使用する際は、容器部(４)の側面を押圧し、開口端部(20a)からマスカラ液を吐出する。そして、へら部材(21)を用いて塗り広げることで、マスカラ液転写用具の第１押圧体(６)の押圧面及び／又は第２押圧体(７)の押圧面にマスカラ液を塗布する。
【００５１】
図１９は、容器部(４)の口部を覆う蓋体の天面に櫛歯部(23a)を有する櫛歯体(23)が立設する実施態様(第１２の実施態様)を示す。櫛歯部(23)の各櫛歯の先端には、容器部(４)内に連通する吐出孔(23b)が設けられている。使用する際は、容器部(４)の側面を押圧し、吐出孔(23a)から吐出したマスカラ液をマスカラ液転写用具の押圧面に塗布する。図２０は、櫛歯部(23a)が連立するように櫛歯体(23)を蓋体(18)の天面に設置し、吐出孔(23b)が上方向に開口した実施態様(第１３の実施態様)を示す。
【符号の説明】
【００５２】
１  マスカラ液塗布用具セット
２  マスカラ液供給用具
３  マスカラ液転写用具
４  容器体
５  供給部
６  第１押圧体
６ａ  押圧面
７  第２押圧体
７ａ  押圧面
７ｂ  線状溝部
７ｃ  リブ
８  支持杵
８ａ  支持杵
８ｂ  支持杵
９  操作手段
１０  第１レバー
１１  第２レバー
１２  連結部材
１３  ピン
１４  指掛部
１５  指掛部
１６  台座部材
１６ａ  挿通孔
１６ｂ  挿通孔
１７  支持板
１８  蓋体
１９  供給部
１９ａ  開口端部
２０  供給部
２０ａ  開口端部
２１  へら部材
２２  供給部
２３  櫛歯体
２３ａ  櫛歯部
２３ｂ  吐出孔
２４  ピストン
２５  凸状湾曲面
２６  凹状湾曲面
２７  プレート
２８  操作レバー
【図１】
2018148999.tif 000003
【図２】
2018148999.tif 000004
【図３】
2018148999.tif 000005
【図４】
2018148999.tif 000006
【図５】
2018148999.tif 000007
【図６】
2018148999.tif 000008
【図７】
2018148999.tif 000009
【図８】
2018148999.tif 000010
【図９】
2018148999.tif 000011
【図１０】
2018148999.tif 000012
【図１１】
2018148999.tif 000013
【図１２】
2018148999.tif 000014
【図１３】
2018148999.tif 000015
【図１４】
2018148999.tif 000016
【図１５】
2018148999.tif 000017
【図１６】
2018148999.tif 000018
【図１７】
2018148999.tif 000019
【図１８】
2018148999.tif 000020
【図１９】
2018148999.tif 000021
【図２０】
2018148999.tif 000022